(57)【特許請求の範囲】
【請求項１】
外部に設けられた制御装置により、その記録再生操作の制御を受ける記録媒体再生装置であって、
磁気記録テープからなる記録媒体のユーザービットエリア内に書き込まれた情報を読み取りながら、読み取った情報に、媒体上の位置選択情報が含まれているか否かを検索する検索手段と、
前記位置選択情報を確認した磁気記録テープの情報位置で、磁気記録テープに対する検索を停止する停止手段と、
前記停止手段が検索操作を停止した際における磁気記録テープの位置選択情報書き込み位置、もしくは検索操作の停止後に実施される当該記録媒体再生装置の磁気記録テープと再生ヘッドとの当接位置を微妙に移動させる処理により当該記録媒体再生装置のテープ読み取り位置を基準にして相対的に移動する前記位置選択情報書き込み位置と、当該記録媒体再生装置のテープ読み取り位置との間の位置ズレを検出する検出手段と、
前記検出手段による検出結果を外部に告知する告知手段と、
を有することを特徴とする記録媒体再生装置。
【請求項２】
請求項１に記載の記録媒体再生装置において、
前記検出手段による検出結果を示す情報を外部に出力する出力手段を有することを特徴とする記録媒体再生装置。
【発明の詳細な説明】
【０００１】
【発明の属する技術分野】
本発明は、外部に設けられた制御装置により、その記録再生操作の制御を受ける記録媒体再生装置に係り、詳しくは、業務用放送システムに組み込むのに最適な記録媒体再生装置に関する。
【０００２】
【従来の技術】
従来から、放送等の業務に用いられる業務用映像再生システムとして、並列配置された複数の磁気テープ記録再生装置と、各磁気テープ記録再生装置の再生操作を含めてシステム全体を制御する制御装置とにより構成されたものがある。
【０００３】
このように構成された従来の業務用映像再生システムにおいては、次のようにして再生開始位置の検索を実施している。すなわち、まず、各磁気テープのユーザービットエリアに、再生開始位置を指定する情報（以下、ＳＴＯＰコードという）を予め書き込んでおく。ＳＴＯＰコードの書き込みは、ビデオカメラや編集装置等の外部装置において磁気テープに実施してもよいし、このシステムを構成する制御装置が磁気記録再生装置を介して磁気テープに実施してもよい。
【０００４】
以上のようなＳＴＯＰコードの書き込みを実施したのち、再生時の準備段階において各磁気テープ記録再生装置がＳＴＯＰコードの書き込み位置を検出し、検出した位置で磁気記録テープを停止させることで、再生開始位置の検索を実施する。なお、検索は、磁気記録テープを再生しながら実施してもよいし、早送り、巻き戻し操作を行ないながら実施してもよい。
【０００５】
再生に際しては、準備段階においてテープの読み出し位置を再生開始位置に一致させる検索操作が実施されているので、そのままで状態で再生を行なえば、予め設定しておいた再生開始位置から再生を行なうことができる。
【０００６】
このように構成された業務用映像再生システムにおいては、ＳＴＯＰコードの検索は制御装置において実施されていた。すなわち、まず、制御装置において、ＳＴＯＰコードの検索指令を磁気テープ記録再生装置に出力する。磁気テープ記録再生装置では、制御装置の指示に従って磁気記録テープの再生や早送り、巻き戻し操作を実施し、この操作により読み出したユーザービットエリアの情報を制御装置に出力する。制御装置では、入力したユーザービットエリア情報の中からＳＴＯＰコードを検索する。そして、ＳＴＯＰコードを検出すると、制御装置は、検索停止指令を磁気テープ記録再生装置に出力する。磁気テープ記録再生装置では、検索停止指令を受けると、検索操作（磁気記録テープの再生や早送り、巻き戻し操作によりユーザービットエリアの情報を読み出す操作）を停止する。これにより、磁気テープにおいては、ＳＴＯＰコードが記録されているテープ位置（再生開始位置）がヘッド読み出し位置に一致した状態になる。そのため、この状態で、磁気テープの再生操作を開始すれば、予め設定された再生開始位置から再生が実行されることになる。
【０００７】
【発明が解決しようとする課題】
以上説明したようにして、ＳＴＯＰコードの検出を行なって再生開始位置を検索するのであるが、業務用映像再生システムにおいては、システムに何らかの故障が生じたとしても、映像の再生にとって必要最小限の機能を発揮することができる状態、すなわち、磁気テープ記録再生装置において磁気テープの再生操作を実施することができる状態である限りは、業務（放送等）を遂行しなければならない。
【０００８】
ここで、業務を遂行する場合には、その緊急性に関わらず磁気テープの検索操作が必要となる。しかしながら、検索操作は、上述したように、制御装置が主体となって実行されるために、制御装置になんらかの故障が生じている場合には、たとえ、磁気テープ記録再生装置の再生機能に支障がない状態であっても、再生開始位置の検索を実施することが全く不可能になってしまう。
【０００９】
このような理由により、制御装置において何らかの故障が生じたとしても、記録媒体再生装置単独で、再生開始位置の検索操作を可能にすることが要望されていた。本発明の主たる目的は、装置単独で位置選択情報の検索操作を実施することができる記録媒体再生装置を提供することである。
【００１０】
【課題を解決するための手段】
上述した目的を達成するためには、本発明は、外部に設けられた制御装置により、その記録再生操作の制御を受ける記録媒体再生装置であって、
磁気記録テープからなる記録媒体のユーザービットエリア内に書き込まれた情報を読み取りながら、読み取った情報に、媒体上の位置選択情報が含まれているか否かを検索する検索手段と、
前記位置選択情報を確認した磁気記録テープの情報位置で、磁気記録テープに対する検索を停止する停止手段と、
前記停止手段が検索操作を停止した際における磁気記録テープの位置選択情報書き込み位置、もしくは検索操作の停止後に実施される当該記録媒体再生装置の磁気記録テープと再生ヘッドとの当接位置を微妙に移動させる処理により当該記録媒体再生装置のテープ読み取り位置を基準にして相対的に移動する前記位置選択情報書き込み位置と、当該記録媒体再生装置のテープ読み取り位置との間の位置ズレを検出する検出手段と、
前記検出手段による検出結果を外部に告知する告知手段と、
を有することを特徴としている。
【００１１】
【発明の実施の形態】
本発明の請求項１に記載の発明は、外部に設けられた制御装置により、その記録再生操作の制御を受ける記録媒体再生装置であって、
磁気記録テープからなる記録媒体のユーザービットエリア内に書き込まれた情報を読み取りながら、読み取った情報に、媒体上の位置選択情報が含まれているか否かを検索する検索手段と、
前記位置選択情報を確認した磁気記録テープの情報位置で、磁気記録テープに対する検索を停止する停止手段と、
前記停止手段が検索操作を停止した際における磁気記録テープの位置選択情報書き込み位置、もしくは検索操作の停止後に実施される当該記録媒体再生装置の磁気記録テープと再生ヘッドとの当接位置を微妙に移動させる処理により当該記録媒体再生装置のテープ読み取り位置を基準にして相対的に移動する前記位置選択情報書き込み位置と、当該記録媒体再生装置のテープ読み取り位置との間の位置ズレを検出する検出手段と、
前記検出手段による検出結果を外部に告知する告知手段と、
を有しており、これにより、次のような作用を有する。
【００１２】
すなわち、位置選択情報の検索を記録媒体再生装置だけで実施することが可能となる。
【００１６】
また、磁気記録テープを用いた記録媒体再生装置においては、前記停止手段が検索操作を停止した際における当該記録媒体再生装置のテープ読み取り位置と、実際の位置選択情報書き込み位置との間に位置ズレが生じる場合がある。さらには、検索操作の停止後に実施される諸操作の一つとして次のような処理がある。すなわち、磁気記録テープを用いた記録媒体再生装置においては、待機状態における磁気記録テープと再生ヘッド（回転している）との当接によるテープの磨耗を防止するために、待機状態において、テープと再生ヘッドの当接位置を微妙に移動させる処理が実施される。このような諸操作が実施されると、前記位置選択情報の書き込み位置と前記テープ読み取り位置との間に比較的大きな位置ズレが生じる場合がある。
【００１７】
そこで、本発明では、このような位置ズレを検出手段により検出して、その検出手段による検出結果を外部、すなわち、操作者に告知している。これにより、操作者は、そのズレ量を把握して、位置選択情報書き込み位置を、磁気記録テープのヘッド当接位置に対して正確に調整するこが可能となる。
【００２１】
以下、本発明の実施の形態を、図面を参照して説明する。図１は、本発明の記録媒体再生装置の一例である磁気記録テープ記録再生装置の構成を示すブロック図であり、図２は、この装置の主要部（制御部）の構成を示すブロック図である。
【００２２】
この磁気記録テープ記録再生装置は、例えば、業務用映像再生システムに組み込まれて、外部に設けられる制御装置Ａとの間で各種の制御信号の送受を行うことで基本操作が前記制御装置Ａにより制御される装置であって、記録系回路と、再生系回路と、制御信号記録再生系回路とを備えている。
【００２３】
記録系回路は、外部から映像データが入力される映像入力端子２０およびインターフェース１５と、インターフェース１５を介して入力された入力映像情報を、記録信号に変換するビデオ信号記録処理回路１２と、記録信号を増幅する記録ヘッドアンプ６と、記録信号を磁気記録テープ１に書き込む記録ヘッド２とを有している。
【００２４】
再生系回路は、磁気記録テープ１から再生信号を読み出す再生ヘッド３と、再生ヘッド３から読み出された電気信号を増幅する再生ヘッドアンプ７と、再生ヘッドアンプ７で増幅された再生信号を出力映像データに変換するビデオ信号再生処理回路１３と、出力映像データを外部に出力するインターフェース１６および映像出力端子２１とを有している。
【００２５】
制御信号記録再生系回路は、磁気記録テープ１に対してタイムコード信号を記録／再生するＴＣヘッド４と、磁気記録テープ１に対してコントロール信号を記録／再生するＣＴＬヘッド５と、タイムコード信号の信号処理を行うＴＣ記録再生処理回路８と、コントロール信号の信号処理を行うＣＴＬ記録再生処理回路９と、タイムコード信号とコントロール信号の制御のほか、この装置全体の制御を司る制御部１４とを有している。
【００２６】
さらに、この磁気記録テープ記録再生装置は、磁気記録テープ１を搬送する駆動系（ピンチローラを含む）１０と、駆動系１０を制御するサーボ回路１１と、動作コマンドスイッチ１７と、制御装置Ａ等の外部装置との間で各種の制御信号の送受を行う制御信号入出力端子１８と、表示部１９とを備えている。駆動コマンドスイッチ１７と表示部１９とはこの磁気記録再生装置のフロント操作面に設けられている。
【００２７】
制御部１４は、図２に示すように、ＳＴＯＰコード有無判断部３０と、時間差計算部３１と、ＴＣ（タイムコード）メモリ３２と、ＣＴＬ（コントロール信号）メモリ３３と、操作制御部３４と、駆動制御部３５とを備えている。ＳＴＯＰコード有無判断部３０は、読み取った磁気記録テープ１のユーザビットエリア（タイムコード信号の書き込みエリア内に設けられている）にＳＴＯＰコードが書き込まれているか否かを判断している。ＴＣメモリ３２は、ＳＴＯＰコードが書き込まれた磁気記録テープ１上の位置に書き込まれたタイムコード値を記録するメモリである。ＣＴＬメモリ３３は、ＳＴＯＰコードが書き込まれた磁気記録テープ１上の位置（コントロールトラック）に書き込まれたコントロール信号を記録するメモリである。操作制御部３４は、動作コマンドスイッチ１７と表示部１９との操作を制御している。駆動制御部３５は、サーボ回路１１を介して、駆動系１０を制御している。
【００２８】
以下、この磁気記録テープ記録再生装置における特徴となる動作を図３のフローチャートを参照して説明する。ここでは、本発明の特徴である再生開始位置の検索操作を説明する。
【００２９】
再生開始位置の検索操作とは次のような操作をいう。すなわち、予め、位置選択情報であって再生開始位置を指定するＳＴＯＰコードを、磁気記録テープ１のユーザービットエリアに記録したうえで、このＳＴＯＰコードの記録位置を検索してその検索位置で磁気記録テープ１の送り操作を停止してその巻き位置を固定する操作をいう。なお、ＳＴＯＰコードは、この磁気記録テープ１に対して撮影データを記録したり、編集する際に、予め別途のビデオカメラや編集装置により、映像データに対応付けされた状態で磁気記録テープ１のユーザービットエリア（タイムコード信号の記録エリア内に設定されている）に記録されている。
【００３０】
図３のフローチャートの説明に戻って、まず、予め、磁気記録テープ記録再生装置に磁気記録テープ１のカセットが装置に装填されているかを操作制御部３４が判断する（Ｓ３０１）。Ｓ３０１でカセットが装填されていると判断すると、今度は、ＳＴＯＰコード検索モードが設定されているかどうかを操作制御部３４が判断する。ＳＴＯＰコード検索モードは、操作者によりそのモードに対応した動作コマンドスイッチ１７が操作されることで設定され、設定状態は、操作制御部３４内の図示しない記憶部に記憶される。
【００３１】
ＳＴＯＰコード検索モードの設定を確認すると、操作制御部３４は、ＳＴＯＰコード検索操作が開始されたか否かを判断する（Ｓ３０２）。ＳＴＯＰコード検索操作は、操作者が動作コマンドスイッチ１７を操作したことを操作制御部３４が確認することで開始される。具体的には、次のようにしてＳＴＯＰコード検索操作は実施される。
【００３２】
磁気記録テープ１に少なくともＴＣヘッド４とＣＴＬヘッド５とを当接させた状態で駆動系１０を駆動し、これによりテープの送り操作を行いながら、タイムコード信号およびコントロール信号を磁気記録テープ１から読み取る。タイムコード信号およびコントロール信号の読み取りは、次のようにして行うことができる。
【００３３】
ＴＣヘッド４およびＣＴＬヘッド５を選択的に磁気記録テープ１に当接させてタイムコード信号とコントロール信号とを選択的に読み取ってもよいし、通常の再生操作や早送り再生、巻き戻し再生（再生ヘッド３、ＴＣヘッド４、およびＣＴＬヘッド５を磁気記録テープ１に当接させて磁気記録テープ１の情報を読み取る操作）を行いながら、タイムコード信号およびコントロール信号を磁気記録テープ１から読み取ってもよい。
【００３４】
Ｓ３０３で検索が開始されたことを確認すると、今度は検索によりＳＴＯＰコードが検出されたか否かをＳＴＯＰコード有無判断部３０が監視する（Ｓ３０４）。ここでの監視操作は、タイムコード信号中にあるユーザービットエリアを繰り返し検索して、その中にＳＴＯＰコードが記入されているかどうかを確認することで実施される。
【００３５】
Ｓ３０４において、ＳＴＯＰコードが検出されない間は、処理は、Ｓ３１１に移行し、ここで、先にＳＴＯＰコードを検出しているかどうかを判断する。検索当初においては、ＳＴＯＰコードは検出されない状態なので、Ｓ３１１では、ＳＴＯＰコードを未検出と判断し、処理は、Ｓ３１２へと移行する。
【００３６】
Ｓ３１２においては、検索対象の磁気記録テープ１がテープ終端に達したかどうかを判断する。この判断は、操作制御部３４により行われる。Ｓ３１２において、テープ終端に達していないと判断する場合には、Ｓ３０４に戻って、ＳＴＯＰコード検索操作を続行する。Ｓ３０４、Ｓ３１１、Ｓ３１２の操作は、Ｓ３０４において、ＳＴＯＰコードが検出されたことを検出する、もしくは、Ｓ３１２でテープ終端に達したを検出するまで継続的に実施される。
【００３７】
なお、Ｓ３１２において、磁気記録テープ１がテープ終端に達したことを操作制御部３４が確認すると、操作制御部３４は、検索したテープ領域にＳＴＯＰコードが存在したかったと判断して、ＳＴＯＰコードが未検出であることを示す情報（テキスト情報や画像情報）の表示指令を表示部１９に送信する。これにより、表示部１９では、テキストデータ等の表示により、ＳＴＯＰコードが未検出であることを操作者に告知したのち（Ｓ３１３）、一連の検索操作を終了する。このとき、ＳＴＯＰコード未検出情報は、制御信号入出力端子１８を介して制御装置Ａ等に向けて外部に出力される。
【００３８】
一方、Ｓ３０４において、ＳＴＯＰコードを検出したことをＳＴＯＰコード有無判断部３０が確認すると、そのことを示す情報を操作制御部３４に送信する。ＳＴＯＰコード検出情報を受信した操作制御部３４では、ＳＴＯＰコードが検出されたことを示す情報（テキスト情報や画像情報）の表示指令を表示部１９に送信する。これにより、表示部１９では、テキストデータ等の表示により、ＳＴＯＰコードが検出されたことを操作者に告知する（Ｓ３０５）。このとき、ＳＴＯＰコード検出情報は、制御信号入出力端子１８を介して制御装置Ａ等に向けて外部に出力される。
【００３９】
さらには、Ｓ３０４において、ＳＴＯＰコードが検出されたことが確認されると、検出時に同時に読み出されたコントロール信号とタイムコード信号とを、それぞれ、ＣＴＬメモリ３３と、ＴＣメモリ３２とに記憶させたうえで（Ｓ３０６）、検索並びにテープ送り操作を一旦停止する（Ｓ３０７）。このとき、ＳＴＯＰコード検出時のコントロール信号とタイムコード信号の各情報は、制御信号入出力端子１８を介して制御装置Ａ等に向けて外部に出力される。
【００４０】
Ｓ３０７において、検索並びにテープ送り操作を一旦停止したうえで、今度は、今現在において再生ヘッド３が当接している磁気記録テープ１のテープ位置と、ＳＴＯＰコード検出時のテープ位置との間の時間差を時間差計算部３１において算定する（Ｓ３０８）。
【００４１】
今現在において再生ヘッド３が当接している磁気記録テープ１のテープ位置は、タイムコード信号やコントロール信号をＴＣヘッド４やＣＴＬヘッド５で読み取ることにより認識することができる。さらには、前記時間差は、タイムコード信号どうしならびにコントロール信号どうしをそれぞれ比較することにより算定することができる。
【００４２】
このようにして前記時間差を算定するために、時間差計算部３１には、次のような情報が入力される。すなわち、今現在再生ヘッド３が当接しているテープ位置で磁気記録テープ１からＴＣヘッド４やＣＴＬヘッド５で読み取ったタイムコード信号やコントロール信号が、ＴＣ記録再生処理回路８やＣＴＬ記録再生処理回路９から時間差計算部３１に入力される。さらには、ＳＴＯＰコード検出時におけるタイムコード信号やコントロール信号がＴＣメモリ３２やＣＴＬメモリ３３から読み出されて時間差計算部３１に入力される。
【００４３】
Ｓ３０８において、前記時間差を算定した時間差計算部３１は、その時間差を操作制御部３４に送信する。このとき、同時に操作制御部３４には、ＴＣメモリ３２からＳＴＯＰコード検出時のタイムコードが入力されている。操作制御部３４は、時間差（今現在再生ヘッド３に当接するテープ位置とＳＴＯＰコード検出時のテープ位置との間の時間差）並びに、ＳＴＯＰコード検出時のタイムコードを表示する指令を表示部１９に出力する。この表示指令を受けた表示部１９では、前記時間差とＳＴＯＰコード検出時のタイムコードとを表示して、操作者に告知する（Ｓ３０９）。
【００４４】
操作者は、Ｓ３０９において実施される表示を目視することにより、ＳＴＯＰコード検出時のタイムコードを理解することができるうえに、今現在再生ヘッド３に当接しているテープ位置とＳＴＯＰコード検出時のテープ位置との間の時間差をも理解することができる。このような時間差を算定して表示するのは次のような理由によっている。
【００４５】
早送り再生といったように、高速にテープ送りしながら、ＳＴＯＰコードの検索を実施する場合には、ＳＴＯＰコードの検出タイミングと、テープ送り停止タイミングとの間に若干のタイムラグが生じることがある。その場合には、テープ送り停止後において、再生ヘッド３に当接しているテープ部分と、ＳＴＯＰコードが記入されたテープ部分とが位置ズレする可能性がある。そのことを鑑み、本実施形態では、今現在再生ヘッド３に当接しているテープ位置とＳＴＯＰコード検出時のテープ位置との間の時間差を算定して表示することで、上記位置ズレを操作者に告知している。これにより、操作者は、上記位置ズレを認識して、位置ズレを修正する処理を施すことが可能となる。
【００４６】
なお、このとき、上述した時間差情報とＳＴＯＰコード検出時のタイムコードは、制御信号入出力端子１８を介して制御装置Ａ等に向けて外部に出力される。
【００４７】
Ｓ３０９の表示操作を行ったのち、操作制御部３４は、ＳＴＯＰコード検索終了後に、待機モード（次の操作が即時開始できるように、各ヘッドが磁気記録テープ１に当接したまま、テープ装填機構並びに回路の状態が待機状態に維持されたモード）が設定されたか、それとも、一連の操作が終了してヘッドが磁気記録テープ１から離脱し、さらには、テープ装填機構並びに回路の状態が操作終了状態に移行したかを確認する（Ｓ３１０）。なお、待機モードは、動作コマンドスイッチ１７を操作者が操作することで設定されたうえで、操作制御部３４の図示しない記憶部に記録されている。
【００４８】
Ｓ３１０において、待機モードが設定されていないことを操作制御部３４が確認すると、ＳＴＯＰコードの検出が終了したとして一連の検索動作を終了する。
【００４９】
一方、Ｓ３１０において、待機モードが設定されていることを操作制御部３４が確認すると、Ｓ３０４に戻る。この場合、Ｓ３０４では、ＳＴＯＰコードを検出しないので、処理はＳ３１１に移行する。さらにこの場合には、Ｓ３１１において、先にＳＴＯＰコードを検出していると判断されるため、処理は、Ｓ３０８、Ｓ３０９、Ｓ３１０へと移行して、ＳＴＯＰコードの検出位置におけるタイムコードの表示を継続するとともに、上述した時間差情報の更新操作が行われる。
【００５０】
上述した時間差の更新操作を実施するのは次にような理由によっている。すなわち、磁気記録テープ記録媒体再生装置においては、待機状態における磁気記録テープ１と再生ヘッド３（回転している）との当接によるテープの磨耗を防止するために、待機モードが設定された状態において、磁気記録テープ１と再生ヘッド３との当接位置を微妙に移動させる処理が実施される。上述した検索操作を実施したのち待機モードに移行する場合において、テープの微小移動操作が実施されると、ＳＴＯＰコード検出位置と、再生ヘッド３に当接するテープ位置との間に比較的大きな位置ズレが生じる場合がある。
【００５１】
そこで、本実施形態では、このような位置ズレを時間差計算部３１により検出し、その位置ズレ情報を更新して表示部１９に表示して操作者に告知している。これにより、操作者は、そのズレ量をリアルタイムに把握して、ＳＴＯＰコードの検出位置を、再生ヘッド３に対して正確に調整することが可能となる。
【００５２】
Ｓ３０４〜Ｓ３１０、Ｓ３１１にわたる処理は、ＳＴＯＰコードの検出位置におけるタイムコードの告知、およびＳＴＯＰコードの検出位置と再生ヘッド３のテープ当接位置との間の時間差告知並びにこれらの告知の更新操作は、Ｓ３１０において、待機モードが終了したことを確認するまで実施される。更新された時間差の情報は、制御信号入出力端子１８を介して制御装置Ａ等に向けて外部にも出力される。
【００５３】
以上説明した実施の形態においては、ＳＴＯＰコード有無判断部３０により請求項における検索手段が構成され、操作制御部３４や駆動制御部３５により請求項における停止手段が構成され、時間差計算部３１により請求項における検出手段が構成される。
【００５４】
また、Ｓ３０５におけるＳＴＯＰコード検出の告知情報の表示操作を実施する表示部１９により告知手段が構成される。また、Ｓ３０５において表示されるＳＴＯＰコード検出の告知情報と同様の情報を外部に出力する操作を行う操作制御部３４と制御信号入出力端子１８とにより出力手段が構成される。
【００５５】
また、Ｓ３０９において実施される表示操作（ＳＴＯＰコードの検出位置におけるタイムコードの表示、並びに今現在再生ヘッド３に当接するテープ位置とＳＴＯＰコード検出位置との間の時間差の表示）を行う表示部１９により請求項における告知手段が構成される。また、Ｓ３０９において表示されるタイムコードと時間差の告知情報と同様の情報を外部に出力する操作を行う操作制御部３４と制御信号入出力端子１８とにより請求項における出力手段が構成される。
【００５６】
また、告知手段は、Ｓ３１３におけるＳＴＯＰコードの未検出情報を表示する表示部１９により構成される。出力手段は、Ｓ３１３において表示操作されるＳＴＯＰ未検出情報と同様の情報を外部に出力する操作制御部３４と制御信号入出力端子１８とにより構成される。
【００５７】
上述した実施の形態においては、磁気記録テープ記録再生装置において、本発明を実施したが、本発明はこのような記録媒体再生装置に限定されるものではなく、あらゆる記録媒体（ハードディスクやＤＶＤ等）を用いた再生装置においても同様に実施することができるのはいうまでもない。
【００５８】
【発明の効果】
以上説明したように、本発明によれば、外部の制御装置において何らかの故障が生じたとしても、記録媒体再生装置単独で、再生開始位置等となる位置選択情報を検索することが可能となり、その分、緊急時等における記録媒体再生装置の使い勝手が向上した。
【図面の簡単な説明】
【図１】本発明の一実施形態である磁気記録テープ記録再生装置の構成を示すブロック図である。
【図２】実施の形態の磁気記録テープ記録再生装置の要部（制御部）の構成を示すブロック図である。
【図３】実施の形態の磁気記録テープ記録再生装置の動作を示すフローチャートである。
【符号の説明】
１  磁気記録テープ    ２  記録ヘッド    ３  再生ヘッド    ４  ＴＣヘッド
５    ＣＴＬヘッド      ６  記録ヘッドアンプ    ７  再生ヘッドアンプ
８    ＴＣ記録再生処理回路            ９  ＣＴＬ記録再生処理回路
１０  駆動系    １１  サーボ回路    １２  ビデオ信号記録処理回路
１３  ビデオ信号再生処理回路      １４  制御部    １５  インターフェース
１６  インターフェース            １７  動作コマンドスイッチ
１８  制御信号入出力端子          １９  表示部    ２０  映像入力端子
２１  映像出力端子                ３０  ＳＴＯＰコード有無判断部
３１  時間差計算部                ３２  ＴＣメモリ    ３３  ＣＴＬメモリ
３４  操作制御部                  ３５  駆動制御部
Ａ  制御装置
【図１】
0003761801.tif 000002
【図２】
0003761801.tif 000003
【図３】
0003761801.tif 000004